(57)【要約】【課題】寝たきりの被介護者が、通常のパジャマの上に重ね着する事により、おむつに被介護者の手が入らない構造と機能を有し、脱着が、容易で簡単であると共に、作業性の向上に寄与し、さらに、日常着と変わらない外観を有する介護用保護衣。【解決手段】平面矩形の基布のほぼ中央部に頭を通す襟刳りを開け、股部に相当する短辺の両側中央部を接合するためホックを設け、さらに、脇部に相当する長辺の両側を接合するため面ファスナーとホックを設ける点に存する。【選択図】図１
2005273052.tif 000002
【特許請求の範囲】
【請求項１】
平面矩形の基布のほぼ中央部に、頭を通す襟刳りを開け、股部に相当する短辺の両側中央部を接合するためホックを設け、さらに、脇部に相当する長辺の両側を接合するために、面ファスナーとホックを設けることを特徴とする介護用保護衣。
【発明の詳細な説明】
【技術分野】
【０００１】
この発明は寝たきりの被介護者が、通常のパジャマの上に重ね着し、おむつや排泄物に触れないための介護用保護衣に関する。
【背景技術】
【０００２】
軽度、重度にかかわらず、痴呆症の症状を有する寝たきりの病者（以下、被介護者という）は、排泄物処理のためおむつを使用する。
被介護者は、無意識のうちにおむつの中に手を入れ排泄物を取り出す不潔行為を行うことから、かかる行為の防止のために介護者、特に病院、介護施設等にあっては、周囲の患者、被介護者との関係を考慮して介護用保護衣の着用を強要される事が多い。
【０００３】
介護用保護衣として、つなぎパジャマ、つなぎ服、つなぎ寝間着、介護パジャマ、コンビネーション、上下つづき服など、他にもいろいろな名前で呼ばれているものが（以下、単につなぎパジャマという）存在するが、つなぎパジャマは、被介護者の行動を拘束する事に相当し、家族としては、つなぎパジャマを着用させることは被介護者が前述する不潔行為をなすものであることを他者に対して暗に示すことから不本意でありつつも他に適切な介護用保護衣は見当たらず精神的ストレスを感じても周囲の状況を考えるとこれを着用させざるを得ずつなぎパジャマの着用をさせているのが現状である。
【０００４】
例えば、従来のつなぎパジャマとして、特開平０８−０８０３１９号の公報に開示のものが提案されており、即ち、体の上下を包むパジャマ 状の着衣本体に該着衣本体が全体的に展開し得るように解放するためのファスナー部を各所に設け、この着衣本体の胸部、胴部、尻部、脚部等の各所に背面側から布片を取り付けると共に該布片の両端には懸吊紐等を係止するための係止部を設ける構成を有するものである。
【０００５】
また、特開平１０−２０４７０９号公報に開示のものが提案されており、即ち、左袖口から左袖部前面、胸部、腹部及び左脚部前面を通り左裾口まで連結する左前部開放口と、右袖口から右袖部前面、胸部、腹部及び右脚部前面を通り右裾口まで連結する右前部開放口と、左裾口から左脚部前面、股部前面及び右脚部前面を通り右裾口まで連結する脚部開放口とを備え、各開放口に開離嵌挿具付スライドファスナーを設ける構成を有するものである。
【０００６】
さらに、特開平１１−０９３００６号公報に開示のものが提案されており、即ち、上衣部とズボン部とを一体化し、その上衣部１の前身頃における中央部に襟刳から腹部まで上下方向に第１のオープンファスナを設けるとともに、その第１左右両脚部の裾まで達する第２及び第３のオープンファスナを設け、さらに、上衣部における左右両側の袖部及び肩部にそれぞれ袖口から襟刳まで達する第４及び第５のオープンファスナを設ける構成を有するものである。
【０００７】
前述する従来のつなぎパジャマの構造として共通するところは、上下が一体化していることと、介護作業、排泄物処理、身体の清拭等を考慮して部分的に開放し得るようされているものであって、ファスナーを用いているが、被介護者自身が、開閉することが不可能になっていることに共通するもので、さらに、被介護者が、ファスナーを開けないように鍵やプチロック等の係止具を設けているものも存在する。
このようなつなぎパジャマにあっては、被介護者の無意識の運動、足の収縮、寝返り、反転等々の運動によって、上下一体化されている着衣にねじれが生じ、介護時におけるファスナーの開閉が困難となり、係止具を外す手間も必要とし、脱着作業が面倒となるのみならず、前述するように、被介護者のつなぎパジャマ着用は、無関係の第３者に不潔行為の存在を知らしめるに繋がる。
【発明の開示】
【発明が解決しようとする課題】
【０００８】
本発明は、このような事情に鑑みてなされたもので、その目的は、寝たきりの被介護者の手が、おむつに入りさえしなければ良いことに着目し、手が入らない構造と機能を有し、脱着が容易で簡単であると共に、作業性の向上に寄与し、さらに日常着と変わらない外観を有する介護用保護衣を提供することを課題とする。
【課題を解決するための手段】
【０００９】
以上の問題を解決するために、平面矩形の基布のほぼ中央部に頭を通す襟刳りを開け、股部に相当する短辺の両側中央部を接合するためホックを設け、さらに、脇部に相当する長辺の両側を接合するため面ファスナーとホックを設けることを特徴とする点に存する介護用保護衣である。
【発明の効果】
【００１０】
この介護用保護衣は、寝たきりの被介護者が、通常のパジャマの上に重ね着することによって、おむつに手を入れるまでの障害物として存在させ、寝たきりの被介護者の手が、おむつへ侵入することを防止し、おむつや排泄物に触れる不潔行為を確実に防止することを可能にする。
【００１１】
また、この介護用保護衣は平面の１枚の布状としての極めてシンプルな構造を有するもので、着替えの時には、頭部を通した後、脇部の面ファスナーとホックの接合によって腕を曲げる必要もなく、簡単に着用可能であり、おむつ交換等の日常介護は股部のホックを脱着するだけなので、作業性の向上に寄与する。
【００１２】
さらに、この介護用保護衣は、通常のパジャマに重ね着する形状から、日常着と何ら変わらない外観を有する事によって、無関係の第３者の目に留まる事から解放される。
【実施例】
【００１３】
図１は本発明の介護用保護衣の平面図を示すもので、平面矩形の綿布からなる基布１であり、基布１の中央位置（仮想線ＣＬで示す）から一方向に偏位した肩線３の中央に頭部を通す襟刳り４を設ける。
【００１４】
仮想線CLから肩線３に偏位した位置に襟刳り４が設けられたことにより、基布１に前身頃１ａ、後身頃1bが形成されることになり、これによって後身頃１ｂの股部ホック１０付近に余地を確保することになり、被介護者が着用時において、移動のため車いすに座ったり、その他種々の姿勢をとるときに違和感を感ずる事なく、自由な動きを可能にする。
【００１５】
基布１に設ける襟刳り４の形状として種々の形状が採用可能であり、図示の実施例にあっては楕円形の襟刳りを採用しているが、他にも丸形、角型、V型、U型、ボートネック（スリット状）のものを採用し得るものである。
【００１６】
基布１の長辺側、言い換えれば介護用保護衣としての脇部２に腕を通すために、基布１の肩線３から充分な間隔を設ける対象位置に面ファスナー５，６を、それぞれに縫着する。
この時、前身頃１aに縫着する面ファスナー６は、その裏面側に、後身頃1bに縫着する面ファスナー５は、その表面側に縫着するのが望ましく、前身頃１aと後身頃1bが接合時に、前身頃１aが後身頃１ｂの上方に位置するようにしている。
また前記の面ファスナー５，６の近傍位置に、面ファスナー５，６の接着力を補強し、かつ被介護者による剥離を阻止するため、脇部ホック７，８を固着する。
【００１７】
また基布１の短辺側、即ち股部９に相当する中央位置に複数の股部ホック１０，１１を前身頃1a、後身頃１ｂのそれぞれの裏面側に固着する。
股部ホック１０，１１の固着に際しては股部ホック１０，１１の脱着の度に、基布１に過度の力が作用し基布１が裂開するのを防止するため、力布（補強布）１２を施して固着するのが望ましく、さらに、この力布１２は介護者の夜間における視認を容易にするため白色を採用することを望まれるものであるが、これに限定するものではない。
加えて股部ホック１０，１１は、直線に配置するよりも図示の如く半円形に配置するのが被介護者の剥離しようとする動作に対して力を分散させ外れにくくすることから、かかる配置が望ましい。
【００１８】
本発明に係る介護用保護衣eは、図２に示すようにパジャマｐ１，ｐ２の上に介護用保護衣eを重ね着して使用するもので、その着用に際しては、例えば寝ている被介護者の頭を襟刳り４から通し、身体を横向きにして後身頃１ｂを延ばし、身体を元に戻して前身頃1aを身体の前に延ばした後、面ファスナー５，６と脇部ホック７，８を接合させ、さらに股部ホック１０，１１を接合させて着用させることによって、無理なく、また被介護者に苦痛を与えることなく簡単に着用させることができる。
【００１９】
また、この介護用保護衣eを被介護者に着用させることにより、被介護者が、おむつに手を侵入させるには、この介護用保護衣eを除けた後、パジャマの上着p１をたくし上げ、パジャマのズボンp２に達し、おむつに手を侵入させるか、もしくは介護用保護衣eの脇部ホック７，８の下方からパジャマの上着p１を掴みだしパジャマのズボンp２に達し、おむつに手を侵入させるかのいずれかである。
しかし、股部ホック１０，１１の接合によって、介護用保護衣eを除けることも、パジャマの上着ｐ１をたくし上げることも出来ず、また介護用保護衣eの脇部ホック７，８の
下方からパジャマの上着ｐ１を掴むことは可能であるが、介護用保護衣eが、障害物として存在し、パジャマの上着ｐ１を押さえている状態を作り上げているため、パジャマの上着ｐ１をたくし上げることは出来ず、パジャマのズボンｐ２に達せず、おむつに手を侵入させることを防止する。
【図面の簡単な説明】
【００２０】
【図１】この発明の一実施形態を示す平面図である。
【図２】この発明の介護用保護衣をパジャマの上に重ね着したときの参考図である。
【符号の説明】
【００２１】
１  基布
２  脇部
３  肩線
４  襟刳り
５  面ファスナー（メス）
６  面ファスナー（オス）
７  脇部ホック（オス）
８  脇部ホック（メス）
９  股部
１０  股部ホック（メス）
１１  股部ホック（オス）
１a    前身頃
1 b    後身頃
ＣＬ    仮想線
ｐ１    パジャマの上着
ｐ２    パジャマのズボン
e    介護用保護衣
【図１】
2005273052.tif 000003
【図２】
2005273052.tif 000004